(57)【特許請求の範囲】
【請求項１】
口許と鼻孔周辺と両眼周辺とを覆った状態で顔面の周囲に密着する吸排気可能なフルフェイス型のマスクと、前記マスクとは別体であって前記マスクの着用者頭部を覆うことが可能であるとともに前記頭部を覆ったときに前記顔面に密着している前記マスクの周縁部における外面にその外面との間における外気の通過を阻止可能な状態で当接するフードとからなるマスクアセンブリであって、
前記マスクは、前記周縁部における外面に前記マスクを一周するリブを有し、
前記フードは、前記マスクを介して前記着用者の顔面を露出させる開口と、前記開口の縁を形成している環状部材とを有していて着用した前記マスクに対して前記環状部材を取り付けるものであり、前記環状部材が内周面と外周面とを有していて、前記内周面には前記リブに対して離脱可能に嵌合する溝部が形成されていることを特徴とする前記マスクアセンブリ。
【請求項２】
前記環状部材が弾性変形させて径を大きくすることができるものである請求項１記載のマスクアセンブリ。
【請求項３】
前記リブには前記環状部材に対する位置決めの案内が形成されている請求項１または２記載のマスクアセンブリ。
【請求項４】
前記リブに嵌合している前記環状部材の前記外周面には前記環状部材の前記リブからの離脱を阻止する環状のクランプ部材が前記フードの外側から取り付け可能である請求項１〜３のいずれかに記載のマスクアセンブリ。
【請求項５】
前記環状のクランプ部材が弾性変形させて径を大きくすることができるものである請求項４記載のマスクアセンブリ。
【請求項６】
前記環状部材には前記環状のクランプ部材に対する位置決めの案内が形成されている請求項４または５記載のマスクアセンブリ。
【発明の詳細な説明】
【技術分野】
【０００１】
この発明はフルフェイス型のマスクとこれに着脱可能なフードとからなるマスクアセンブリに関する。
【背景技術】
【０００２】
口許と鼻孔の周辺と両眼の周辺とを覆うことが可能であるとともに、吸排気可能に形成されているフルフェイス型の防塵マスクや防毒マスクは周知である。また、マスク着用者の頭部を覆うことが可能で、その着用者の顔面を露出させるための開口部を有するフードも周知である。例えばAvon  Rubber  p.l.c  のホームページhttp://www.avon-rubber.com（非特許文献１）には、ブチルゴム製のフルフェイス型マスクが紹介されている。マスク着用者の顔面周囲に密着させるマスク周縁部の外面には、その周縁部を一周するように延びるリブが形成されている。また、Remploy  Frontlineのホームページhttp://www.remployfrontline.com（非特許文献２）には、このフルフェイス型マスクと組み合わせて着用することが可能なフード付き防護服が紹介されている。フードは顔面を露出させる開口を有し、その開口の周縁部にはギャザーが形成されていて開口はその周方向へ伸長・収縮可能であり、伸長したときには開口の径が大きくなる。かかるフードは、その開口の周縁部がマスクのリブの前方に位置するように着用すると、周縁部が弾性的に収縮してマスク周縁部外面に密着するとともに、リブに対しては前方から接触することが可能で、フードが頭部の後方へ動いて、その頭部から外れることを防止できる。
【非特許文献１】Avon  Rubber  p.l.c  のホームページhttp://www.avon-rubber.com
【非特許文献２】Remploy  Frontlineのホームページhttp://www.remployfrontline.com
【発明の開示】
【発明が解決しようとする課題】
【０００３】
非特許文献１のマスクと非特許文献２のフードとのアセンブリでは、フードが頭部の後方へ向かって動くときに、そのフードが頭部から外れることをリブによって防止できるのだが、フードが前方へずれ動いたときには、フードがマスクに設けられたレンズ部を部分的に覆い、視界の妨げになったり、フードの気密性が低下したりするという場合がある。
【０００４】
この発明は、マスクとフードとからなるマスクアセンブリに対して、そのフードが前方へ動いて視界の妨げになるということがないように改良を施すことを課題にしている。
【課題を解決するための手段】
【０００５】
前記課題を解決するために、この発明が対象とするのは、口許と鼻孔周辺と両眼周辺とを覆った状態で顔面の周囲に密着する吸排気可能なフルフェイス型のマスクと、前記マスクとは別体であって前記マスクの着用者頭部を覆うことが可能であるとともに前記頭部を覆ったときに前記顔面に密着している前記マスクの周縁部における外面にその外面との間における外気の通過を阻止可能な状態で当接するフードとからなるマスクアセンブリである。
【０００６】
かかるマスクアセンブリにおいて、この発明が特徴とするところは、次のとおりである。前記マスクは、前記周縁部における外面に前記マスクを一周するリブを有し、前記フードは、前記マスクを介して前記着用者の顔面を露出させる開口と、前記開口の縁を形成している環状部材とを有していて着用した前記マスクに対して前記環状部材を取り付けるものであり、前記環状部材が内周面と外周面とを有していて、前記内周面には前記リブに対して離脱可能に嵌合する溝部が形成されている。
【０００７】
また、この発明の好ましい実施態様において、前記環状部材が弾性変形させて径を大きくすることができるものである（請求項２に対応）。
この発明の好ましい実施態様の他の一つにおいて、前記リブには前記環状部材に対する位置決めの案内が形成されている。
この発明の好ましい実施態様の他の一つにおいて、前記リブに嵌合している前記環状部材の前記外周面には前記環状部材の前記リブからの離脱を阻止する環状のクランプ部材が前記フードの外側から取り付け可能である。
この発明の好ましい実施態様の他の一つにおいて、前記環状のクランプ部材が弾性変形させて径を大きくすることができるものである。
この発明の好ましい実施態様の他の一つにおいて、前記環状部材には前記環状のクランプ部材に対する位置決めの案内が形成されている。
【発明の効果】
【０００８】
この発明に係るマスクアセンブリでは、マスクの周縁部に形成されたリブに対して、フードにおける環状部材を嵌合させるから、フードの開口近傍はマスクに対する前後方向への動きが抑えられており、フードがずれ動いてマスク着用者の視界を妨げたり、フードの気密性を低下させたりするということがない。
【０００９】
請求項２に係るこの発明の実施態様においては、リブに嵌合している環状部材の外周面に対してクランプ部材を取り付けることができるから、環状部材はリブから外れることがない。
【発明を実施するための最良の形態】
【００１０】
添付の図面を参照して、この発明に係るマスクアセンブリの詳細を説明すると、以下のとおりである。
【００１１】
図１は、使用状態にあるマスクアセンブリ１の斜視図である。マスクアセンブリ１は、それを着用する者の口許と鼻孔周辺と両眼の周辺とを含む顔面の全体を覆うことができるフルフェイス型のマスク２と、その者の少なくとも頭部を覆うことができ、図では頭部からさらにその下方へ広がるフード３とからなる。マスク２は、透明な硬質プラスチックで形成された前面部６と、前面部６の後方にあって合成ゴム等の柔軟弾性材料で形成されており顔面の周囲に密着可能なリップ部７と、リップ部７から頭部の後方へ延びるヘッドバンド部８を有している。前面部６の左右には、防毒用や防塵用のフィルター部材１１が取り付けられている他に、排気部１２と伝声部１３とが形成されている。外気は、フィルター部材１１を通った後に吸気用逆止弁１４を通ってマスク着用者の口許と鼻孔周辺へと進む一方、着用者の呼気は排気部１２の逆止弁（図示せず）を通ってマスクの外へ出る。フード３では、マスク２を介して着用者の顔を露出させる開口２２（図２参照）の縁を形成している環状部材２３（図２参照）がクランプ部材１８によって前面部６の周縁部分に対して好ましくは気密状態で固定されている。
【００１２】
図２は、マスクアセンブリ１の分解斜視図である。ただし、マスク２は、ヘッドバンド部８の一部分の図示が省略されている。マスク２では、前面部６の後方部分がリップ部７の前方部分に気密状態で連結されている。リップ部７の前方部分における外面では、一条のリブ２１が、マスク２をその周縁部において一周するように環状に延びている。フード３は、布やゴムシート、プラスチックシート等の適宜のシート材料によって形成されていてマスク着用者の頭部の他に頸部や胴部等の所要部位を覆うことが可能な被覆部２５を有し、その被覆部２５の前方部分に設けられた開口２２の縁は被覆部２５に対して縫合、溶着等の接合手段によって取り付けられた環状部材２３によって形成されている。環状部材２３は内周面と外周面とを有し、その内周面はリブ２１と嵌合し得るような溝を成している。また好ましい環状部材２３は、弾性変形させて径を大きくすることができるように作られている。径を大きくするように弾性変形させた状態でリブ２１に嵌合させた環状部材２３は、弾性的に収縮しようとする力によってリブ２１に密着して、リブ２１と環状部材２３との間から外気がフード３の内部へ進入することを阻止できる。環状のクランプ部材１８は、これも弾性変形させて径を大きくすることができるように合成ゴム等の弾性材料で作られている。クランプ部材１８の内周面の形状は、マスク２のリブ２１に嵌合している環状部材２３に対して、マスク２の外側から嵌合し得る形状に作られている。
【００１３】
マスクアセンブリ１において、リブ２１に対して環状部材２３が密着すると、より好ましくは強く密着すると、環状部材２３はマスク２に対してその前後方向へずれ動くことがないようになる。さらに、このような環状部材２３に対してクランプ部材１８が嵌合すると、クランプ部材１８は、弾性的に収縮しようとする力によって環状部材２３を締め付けて、環状部材２３がリブ２１から外れることを確実に防ぐことができる。このように形成されるマスクアセンブリ１は、リブ２１に環状部材２３を嵌合させただけの状態で使用することもできるが、その環状部材２３に対してクランプ部材１８を嵌合させた状態で使用することがより好ましい。
【００１４】
図３は、図１のＩＩＩ−ＩＩＩ線切断面を示す図である。マスク２において、前面部６とリップ部７とは、互いに外れることがないようにかつ気密状態で連結されている。フード３における被覆部２５に取り付けられた環状部材２３は、リップ部７に形成されているリブ２１に離脱可能に嵌合している。この環状部材２３は、それに対して取り外し可能に嵌合しているクランプ部材１８によって締め付けられている。かような状態で着用されているマスクアセンブリ１は、マスク２に対して、フード３における開口２２の近傍がマスク着用者の顔面に対して前後方向（図の左右方向）へ動くことがないので、従来技術のようにフード３が前方へ動いてマスク着用者の視界の妨げになったり、フード３の気密性を低下させたりするということがない。
【００１５】
図４は、図２に例示のクランプ部材１８に代えて使用するクランプ部材１８の一例を示している。このクランプ部材１８は、本体部分３１とコネクタ部分３２とからなり、コネクタ部分３２は、開口３３を有し本体部分３１の一端部に設けられている第１コネクタ部３６と、開口３３に対して矢印Ｙ方向において進入、退出可能であって本体部分３１のもう一端部に形成された突起である第２コネクタ部３７とを有する。本体部分３１は、コネクタ部分３２を図示のように第１コネクタ部３６と第２コネクタ部３７とに分離させた状態で、フード３の環状部材２３に対して嵌合させることができる。嵌合させた本体部分３１は、第２コネクタ部３７を第１コネクタ部３６の開口３３へ進入させてコネクタ部分３２を閉じると環を形成し、環状部材２３をリブ２１から外れることがないように締め付けることができる。かような本体部分３１は、弾性材料によって作ることもできれば、金属等の非弾性材料によって作ることもできる。コネクタ部分３２において、第２コネクタ部３７は、図示例の如く本体部分３１と一体に形成することもできれば、本体部分３１とは別体の部材を適宜の取り付け手段を介して本体部分３１に取り付けることもできる。第１コネクタ部３６は、図示例の如く本体部分３１とは別体のものを本体部分３１に取り付けることもできれば、本体部分３１と一体に形成することもできる。
【００１６】
図５もまた、この発明において使用可能なクランプ部材１８の一例を示す図面であるが、この図面ではクランプ部材１８とフード３とが図示されていて、マスク２の図示が省略されている。このクランプ部材１８は、環状部材２３に沿って延びていて部材２３に対して外側から嵌合する第１部分４１と、環状部材２３に形成されている突起部分４３に引っ掛けることが可能であって第１部分４１の両端部それぞれに形成されている第２部分４２とを有する。
【００１７】
図６は、図５におけるクランプ部材１８とフード３との部分図であって、クランプ部材１８は、第２部分４２のそれぞれが突起部分４３から外された状態にある。クランプ部材１８において、第１部分４１はその内周面がリブ２１に嵌合できるような溝を成しており、第２部分４２のそれぞれは突起４３が進入・退出可能な透孔４４を有する。クランプ部材１８は、例えば一方の第２部分４２の透孔４４に突起４３を進入させた後に、第１部分４１を環状部材２３に嵌合させ、しかる後にもう一方の第２部分４２の透孔４４に突起４３を進入させることによって、図５の状態になる。かかるクランプ部材１８は、図における周方向、つまりその長さ方向に弾性的に伸長可能なものであって、図５の如く使用されているときのクランプ部材１８は、伸長状態にあることが好ましい。
【００１８】
図７は、この発明の実施態様の一例を示す図２と同様な図であるが、マスクアセンブリ１はその一部分のみが示されている。図示例のマスクアセンブリ１では、マスク２の頂部において、リブ２１に凸部７１が形成されている。また、フード３の環状部材２３には、環状部材２３の頂部に、第１凸部７１に対して上方から離脱可能に嵌合する凹部７４を有する第２凸部７２が形成されている。さらにクランプ部材１８の頂部には、第２凸部７２に対して上方から離脱可能に嵌合する凹部７５を有する第３凸部７３が形成されている。着用したマスク２に対して、第１凸部７１を位置決めの案内にしてリブ２１に環状部材２３を取り付ければ、マスク２とフード３との位置関係が常に一定になる。また、第２凸部７２を位置決めの案内にして環状部材２３にクランプ部材１８を取り付ければフード３とクランプ部材１８との位置関係が常に一定になる。このような図７の態様は、図１，４，５に例示のマスクアセンブリ１において実施することが可能である。なお、図７の第２、第３凸部７２，７３は、一部分が破断して示されている。
【００１９】
この発明において、マスク２と一体的に使用されるフード３は、マスク着用者の身体の所要部位を被覆することができるように、その上下方向の寸法を自由に設定することができる。即ち、フード３は、着用者の頭部のみを覆うように作ることもできれば、身体のほぼ全体を覆うように作ることもできる。また、図示例においてマスク２のリップ部７に形成されているリブ２１は、前面部６に形成されたリブに代えることも可能である。
【産業上の利用可能性】
【００２０】
この発明によれば、マスクに対してフードが前後方向へずれ動くことのないマスクアセンブリの製造が可能になる。
【図面の簡単な説明】
【００２１】
【図１】マスクアセンブリの斜視図。
【図２】マスクアセンブリの分解斜視図。
【図３】図１のＩＩＩ−ＩＩＩ線切断面を示す図。
【図４】クランプ部材の一例を示す図。
【図５】クランプ部材の他の一例を示す図。
【図６】図５のクランプ部材の部分図。
【図７】実施態様の一例を示す図２と同様な図。
【符号の説明】
【００２２】
１    マスクアセンブリ
２    マスク
３    フード
１８    クランプ部材
２１    リブ
２２    開口
２３    環状部材
【図１】
0004465554.tif 000002
【図２】
0004465554.tif 000003
【図３】
0004465554.tif 000004
【図４】
0004465554.tif 000005
【図５】
0004465554.tif 000006
【図６】
0004465554.tif 000007
【図７】
0004465554.tif 000008